(57)【特許請求の範囲】
【請求項１】
表示部と、複数の操作キーボタンと、前記複数の操作キーボタンに対応して設けられ各操作キーボタンのバックライトとなる複数の発光素子とを有し、キーボタン操作により文字が入力されたとき、この文字に対応する変換候補文字列を前記表示部に表示するようにした携帯電話端末であって、
前記キーボタン操作により文字が入力されたとき、前記変換候補文字列に応じて前記複数の発光素子の点灯／消灯を制御する制御手段を含み、
前記制御手段は、前記変換候補文字列中の前記入力された文字に続く文字を入力するために必要な前記操作キーボタンに対応する前記発光素子を他の発光素子より明るく点灯せしめ、更に前記変換候補文字列のうち上位に表示される変換候補文字列中の前記入力された文字に続く文字を入力するために必要な前記操作キーボタンに対応する前記発光素子をより明るく点灯せしめることを特徴とする携帯電話端末。
【請求項２】
前記変換候補文字列はそれぞれ異なる色で前記表示部に表示され、
前記制御手段は、前記変換候補文字列中の前記入力された文字に続く文字を入力するために必要な前記操作キーボタンに対応する前記発光素子を対応する色で点灯せしめることを特徴とする請求項１記載の携帯電話端末。
【請求項３】
表示部と、複数の操作キーボタンと、前記複数の操作キーボタンに対応して設けられ各操作キーボタンのバックライトとなる複数の発光素子とを有し、キーボタン操作により文字が入力されたとき、この文字に対応する変換候補文字列を前記表示部に表示するようにした携帯電話端末のキーバックライト制御方法であって、
前記キーボタン操作により文字が入力されたとき、前記変換候補文字列に応じて前記複数の発光素子の点灯／消灯を制御する制御ステップを含み、
前記制御ステップは、前記変換候補文字列中の前記入力された文字に続く文字を入力するために必要な前記操作キーボタンに対応する前記発光素子を他の発光素子より明るく点灯せしめ、更に前記変換候補文字列のうち上位に表示される変換候補文字列中の前記入力された文字に続く文字を入力するために必要な前記操作キーボタンに対応する前記発光素子をより明るく点灯せしめることを特徴とするキーバックライト制御方法。
【請求項４】
前記変換候補文字列はそれぞれ異なる色で前記表示部に表示され、
前記制御ステップは、前記変換候補文字列中の前記入力された文字に続く文字を入力するために必要な前記操作キーボタンに対応する前記発光素子を対応する色で点灯せしめることを特徴とする請求項３記載のキーバックライト制御方法。
【発明の詳細な説明】
【技術分野】
【０００１】
本発明は携帯電話端末、そのキーバックライト制御方法及びプログラムに関し、特に携帯電話端末において一般的な日本語入力手段であるかな漢字変換プログラムの変換候補一覧表示機能に連動してキーバックライトを制御するキーバックライト制御方法に関する。
【背景技術】
【０００２】
従来の携帯電話端末における文字入力について図６及び図７を参照して説明する。なお、図６は従来の携帯電話端末を示す図であり、図７は携帯電話端末に設けられるキーボタンとこれを照明するためのＬＥＤ（Ｌｉｇｈｔ  Ｅｍｉｔｔｉｎｇ  Ｄｉｏｄｅ）を示す図である。
【０００３】
図６において、従来の携帯電話端末は、表示部１２と、操作キーボタン「０」〜「９」、「＊」及び「＃」とを有している。図７に示すように、これらキーボタン「０」〜「９」、「＊」及び「＃」各々（キーボタン３１）の背面にはキーボタン３１を照明するためのキーバックライトとなるＬＥＤ３２が配置されている。
【０００４】
このような従来の携帯電話端末においてユーザが操作キーボタンを操作して文字入力を行なう場合、表示部１２には文字入力中の情報２１と、その変換候補２２とが表示される。この文字入力の際には、全てのキーボタン「０」〜「９」、「＊」及び「＃」のＬＥＤが同じ明るさ、同じ色で発光して各キーボタンを照明する。
【０００５】
なお、特許文献１には、携帯電話装置において、この携帯電話装置が有する各機能を設定するために押すべき一連のキーのうち、一のキーを押した後に、任意の一の機能を設定するために有効であるキーに対応するバックライトを点灯させ、該一の機能を設定するために有効でないキーに対応するバックライトを消灯させることにより、次に押すべきキーと押すべきでないキーとをユーザが判別することができるようにすることが記載されている。
【０００６】
【特許文献１】特開２０００−３４９８８５号公報
【発明の開示】
【発明が解決しようとする課題】
【０００７】
従来の携帯電話端末における文字入力では、例えば、図６に示すように「こう」と入力されたとき、変換候補２２として「１  公開、２  講義、３  高校、４  交際、５  交差点」が表示部１２に表示される。ここで、ユーザが「交差点」を入力しようとして変換候補２２の絞り込みを行なおうとする場合、既に入力されている「こう」の次に「さ」を入力すべく、「さ」に対応するキーボタンを押下することになる。
【０００８】
しかしながら、上述したように全てのキーボタン「０」〜「９」、「＊」及び「＃」のＬＥＤが同じ明るさ、同じ色で発光して各キーボタンを照明しているため、ユーザは全てのキーボタン「０」〜「９」、「＊」及び「＃」から「さ」に対応するキーボタンを探さなければならない。
【０００９】
また、変換候補２２と無関係に全てのキーボタン「０」〜「９」、「＊」及び「＃」のＬＥＤを点灯させるので、消費電力の削減ができないという問題もある。
【００１０】
本発明の目的は、文字入力における変換候補表示に連動したキーバックライト制御により、ユーザの利便性を高めると共に消費電力の削減を実現することができる携帯電話端末、そのキーバックライト制御方法及びプログラムを提供することである。
【課題を解決するための手段】
【００１１】
本発明による携帯電話端末は、表示部と、複数の操作キーボタンと、前記複数の操作キーボタンに対応して設けられ各操作キーボタンのバックライトとなる複数の発光素子とを有し、キーボタン操作により文字が入力されたとき、この文字に対応する変換候補文字列を前記表示部に表示するようにした携帯電話端末であって、前記キーボタン操作により文字が入力されたとき、前記変換候補文字列に応じて前記複数の発光素子の点灯／消灯を制御する制御手段を含み、前記制御手段は、前記変換候補文字列中の前記入力された文字に続く文字を入力するために必要な前記操作キーボタンに対応する前記発光素子を他の発光素子より明るく点灯せしめ、更に前記変換候補文字列のうち上位に表示される変換候補文字列中の前記入力された文字に続く文字を入力するために必要な前記操作キーボタンに対応する前記発光素子をより明るく点灯せしめることを特徴とする。
【００１２】
本発明によるキーバックライト制御方法は、表示部と、複数の操作キーボタンと、前記複数の操作キーボタンに対応して設けられ各操作キーボタンのバックライトとなる複数の発光素子とを有し、キーボタン操作により文字が入力されたとき、この文字に対応する変換候補文字列を前記表示部に表示するようにした携帯電話端末のキーバックライト制御方法であって、前記キーボタン操作により文字が入力されたとき、前記変換候補文字列に応じて前記複数の発光素子の点灯／消灯を制御する制御ステップを含み、前記制御ステップは、前記変換候補文字列中の前記入力された文字に続く文字を入力するために必要な前記操作キーボタンに対応する前記発光素子を他の発光素子より明るく点灯せしめ、更に前記変換候補文字列のうち上位に表示される変換候補文字列中の前記入力された文字に続く文字を入力するために必要な前記操作キーボタンに対応する前記発光素子をより明るく点灯せしめることを特徴とする。
【００１４】
このように、本発明では、一般的な日本語入力手段であるかな漢字変換プログラムの変換候補一覧表示機能を利用し、キーボタン操作により文字が入力された際に、表示部に表示される変換候補文字列に応じて、各操作キーボタンのバックライトとなる複数の発光素子の点灯／消灯を制御するようにしている。
【発明の効果】
【００１５】
本発明によれば、変換候補に応じて各キーボタンの発光素子の点灯／消灯を制御するようにしているので、変換候補の絞り込みのために次に押下すべきキーボタンの発光素子のみを点灯させてユーザに分かりやすく提示することができるので、ユーザの利便性を高めると共に消費電力の削減を実現することができるという効果が得られる。
【発明を実施するための最良の形態】
【００１６】
以下、本発明の実施例について図面を参照して説明する。
【００１７】
図１は本発明の実施例による携帯電話端末の構成を示す図である。なお、図１に示した本発明の実施例による携帯電話端末の外観及び操作キーボタンとＬＥＤの配置は図６及び図７に示した従来の携帯電話端末と同じであるので、図１、図６及び図７を用いて本発明の実施例による携帯電話端末について説明する。
【００１８】
図１に示すように、本発明の実施例による携帯電話端末は、制御部１１と、表示部１２と、キー操作部１３と、記憶部１４と、キーバックライト制御部１５と、キーバックライト１６とを有している。
【００１９】
制御部１１は、記憶部１４に格納されたプログラム（コンピュータで実行可能なプログラム）を実行することで、携帯電話端末内部の各種動作の制御を行う。表示部１２は、ユーザがキー操作部１３を操作して文字入力を行なう場合、図６に示すように文字入力中の情報２１と、その変換候補２２とを表示する。キー操作部１３は、図６に示す操作キーボタン「０」〜「９」、「＊」及び「＃」を有しており、図７に示すように、これらキーボタン「０」〜「９」、「＊」及び「＃」各々（キーボタン３１）の背面にはキーボタン３１を照明するためのキーバックライトとなるＬＥＤ３２が配置されている。
【００２０】
キーバックライト１６は、キーボタン「０」〜「９」、「＊」及び「＃」各々の背面に配置されたＬＥＤ３２を有しており、キーバックライト制御部１５は、制御部１１の制御の下、キーバックライト１６すなわちキーボタン「０」〜「９」、「＊」及び「＃」各々の背面に配置されたＬＥＤ３２の点灯／消灯を制御する。
【００２１】
次に、本発明の実施例による携帯電話端末の動作について図面を参照して説明する。
【００２２】
文字入力の際には、ユーザがキーボタン「０」〜「９」、「＊」及び「＃」を押下することにより入力する文字を決定する。一般の携帯電話端末では、キーボタン「０」〜「９」、「＊」及び「＃」にはそれぞれ「あかさたな・・・わ」行までの５０音が割り当てられており、ここではキーボタン「１」には「あ行」、キーボタン「２」には「か行」、キーボタン「３」には「さ行」、キーボタン「４」には「た行」が割り当てられているものとする。
【００２３】
以下、ユーザが「こ」「う」「さ」「て」「ん」を入力しようとする場合を例にとり、本発明の実施例によるキーバックライト制御方法について説明する。
【００２４】
文字入力の際、図６に示すように変換候補２２として入力された文字に続く可能性のある単語が表示部１２に表示される。なお、図６では、「こう」が入力された時点で、変換候補２２として「１  公開、２  講義、３  高校、４  交際、５  交差点」が表示されているが、「う」が入力される前の「こ」が入力された時点においても、同じく「１  公開、２  講義、３  高校、４  交際、５  交差点」が表示されているものとする。
【００２５】
ここで、ユーザが最終的に「交差点」を選択するまでの各キーボタンのＬＥＤの発光状態を図２を用いて説明する。図２は「あ行」に対応するキーボタン「１」のＬＥＤ、「か行」に対応するキーボタン「２」のＬＥＤ、「さ行」に対応するキーボタン「３」のＬＥＤ、「た行」に対応するキーボタン「４」のＬＥＤのオンオフを示すタイミングチャートである。
【００２６】
図２において、「こ」が入力されるまでは、キーボタン「１」〜「４」のＬＥＤ及び図２に示されない他のキーボタン（キーボタン「０」、「５」〜「９」、「＊」及び「＃」）のＬＥＤは、キーバックライト制御部１５の制御によりオン、すなわち点灯されているものとする。
【００２７】
ここで、ユーザがキーボタン「２」を操作して「こ」を入力した場合、表示部１２に表示される変換候補２２は上述したように図６と同じく、「１  公開、２  講義、３  高校、４  交際、５  交差点」である。これら変換候補２２中の「こ」の次にくる文字によって各キーボタンＬＥＤのオンオフの状態が変化する。これら変換候補２２をひらがなに書き下すと、「１  こうかい、２  こうぎ、３  こうこう、４  こうさい、５  こうさてん」であり、入力された「こ」の次にくる文字の候補は「あ行」の「う」のみである。このため「こ」が入力されると、キーバックライト制御部１５は、「あ行」に対応するキーボタン「１」のＬＥＤのみを点灯させ、キーボタン「２」〜「４」のＬＥＤ及び図２に示されない他のキーボタンのＬＥＤをオフ、すなわち消灯させる。
【００２８】
次に、ユーザがキーボタン「１」を操作して「う」を入力した場合、上記５つの変換候補２２はすべて「こう」で始まるため、表示部１２に表示される変換候補２２に変化はなく、「こう」の次にくる文字によって各キーボタンＬＥＤのオンオフの状態が変化する。ここで、「こう」の次にくる文字の候補として「か」、「ぎ」、「こ」、「さ」の４種類がある。このうち、「か」、「ぎ」、「こ」については同じ「か行」であるため、「か行」に対応するキーボタン「２」のＬＥＤがキーバックライト制御部１５により点灯される。同様に、「さ行」に対応するキーボタン「３」のＬＥＤも点灯される。なお、キーボタン「１」及び「４」のＬＥＤと図２に示されない他のキーボタンのＬＥＤは消灯される。
【００２９】
次に、ユーザがキーボタン「３」を操作して「さ」を入力した場合、上記５つの変換候補２２は「交際」と「交差点」の２つにまで絞り込まれる。すなわち、表示部１２の表示画面は図３（ａ）のように遷移する。ここで、「こうさ」の次にくる文字の候補として「あ行」の「い」と「た行」の「て」が残る。したがって、「さ」が入力されると、キーバックライト制御部１５は、「あ行」に対応するキーボタン「１」のＬＥＤと「た行」に対応するキーボタン「４」のＬＥＤのみを点灯させ、キーボタン「２」及び「３」のＬＥＤと図２に示されない他のキーボタンのＬＥＤを消灯させる。
【００３０】
さらに、ユーザがキーボタン「４」を操作して「て」を入力した場合、変換候補２２は「交差点」の１つに絞り込まれる。すなわち、表示部１２の表示画面は図３（ｂ）のように遷移する。したがって、「て」が入力されると、キーバックライト制御部１５は、キーボタン「１」〜「４」のＬＥＤ及び図２に示されない他のキーボタンのＬＥＤ全てを消灯させることになる。そして、ユーザが絞り込まれた変換候補２２である「交差点」を選択すると、変換候補２２の表示は消えて本実施例による制御は終了するので、例えばキーボタン「０」〜「９」、「＊」及び「＃」全てが点灯される。
【００３１】
この例では、「こうさ」の次に「て」が入力されると、変換候補２２がユーザが入力しようとしていた「交差点」のみに絞り込まれるために、全てのＬＥＤを消灯するようにしているが、「こうさて」の次にくる文字の候補である「ん」に対応するキーボタンのＬＥＤのみを点灯し、その他のキーボタンのＬＥＤは消灯するようにしてもよいことは勿論である。
【００３２】
以上説明したように、本発明の実施例では、変換候補に応じてキーボタンのＬＥＤの点灯／消灯を制御するようにしているので、変換候補の絞り込みのために次に押下すべきキーボタンを利用者に分かりやすく提示することができる。また、変換候補の絞り込みに不要なキーボタンのＬＥＤを消灯するようにしているので、消費電力を削減することができる。
【００３３】
上記本発明の実施例では、変換候補に応じてキーボタンのＬＥＤを点灯または消灯させるようにしているが、変換候補に応じてキーボタンのＬＥＤの明るさを多段階に制御するようにしてもよい。
【００３４】
すなわち、例えば明るさの段数を暗いほうから明るいほうへ１から５の５段階とした場合、図２において消灯させていたＬＥＤ（変換候補の絞り込みに不要なキーボタンＬＥＤ）を、消灯させるのではなく最も明るさが暗い段数１の明るさで点灯させ、図２において点灯させていたＬＥＤ（変換候補の絞り込みに必要なキーボタンＬＥＤ）については段数１より明るい明るさで点灯させる。
【００３５】
このとき、変換候補の絞り込みに必要なキーボタンＬＥＤについて、変換候補の上位に対応するキーボタンのＬＥＤの明るさを下位に対応するキーボタンのＬＥＤより明るく点灯させる。すなわち、上記の実施例と同様に「こうさてん」の入力途中で、変換候補が「交際」と「交差点」に絞り込まれた場合（図２における「さ」入力時）、図３（ａ）に示すように「交際」のほうが候補上位であるので、キーボタン「１」のＬＥＤを最も明るい段数５の明るさで点灯させ、キーボタン「４」のＬＥＤをそれより暗い段数４の明るさで点灯させるようにする。
【００３６】
このように、キーボタンのＬＥＤの明るさを多段階に制御する場合、ＬＥＤを同じ明るさで点灯させる場合よりも容易に次に押下すべきキーボタンを認識することが可能となる。
【００３７】
また、上記本発明の実施例では、同色のＬＥＤを用いることを前提としていたが、各キーボタンのＬＥＤに多色ＬＥＤを用いるようにしてもよい。
【００３８】
この場合、表示部１２に表示される変換候補について候補上位からそれぞれの候補に第一候補は赤、第二候補は青、第三候補は黄というように異なる色を割り当て、表示部１２は各変換候補を割り当てられた色で表示する。そして、図２において点灯させていたＬＥＤ（変換候補の絞り込みに必要なキーボタンＬＥＤ）を、対応する変換候補に割り当てられた色と同じ色で点灯させる。
【００３９】
すなわち、上記の実施例と同様に「こうさてん」の入力途中で、変換候補が「交際」と「交差点」に絞り込まれ（図２における「さ」入力時）、図３（ａ）に示す「交際」が赤で、「交差点」が青で表示される場合、キーボタン「１」のＬＥＤを「交際」と同じ赤色で点灯させ、キーボタン「４」のＬＥＤを「交差点」と同じ青色で点灯させるようにする。なお、その他のＬＥＤについては上記の実施例と同様に消灯させるようにする。
【００４０】
このように、多色ＬＥＤを用いて変換候補の表示色と対応するキーボタンのＬＥＤの発光色を一致させることにより、より容易に次に押下すべきキーボタンを認識することが可能となる。なお、この多色ＬＥＤを用いた制御方法と上述したＬＥＤの明るさを多段階に制御する制御方法とを併用してもよいことは勿論である。
【００４１】
次に、本発明の他の実施例について図面を参照して説明する。図４は本発明の他の実施例による携帯電話端末を示す図であり、図５は本発明の他の実施例による携帯電話端末の構成を示す図である。
【００４２】
本発明の他の実施例による携帯電話端末の操作キーボタンとＬＥＤの配置は本発明の実施例による携帯電話端末と同じであり、図７に示すように、操作キーボタン「０」〜「９」、「＊」及び「＃」各々（キーボタン３１）の背面にはキーボタン３１を照明するためのキーバックライトとなるＬＥＤ３２が配置されている。しかし、本発明の他の実施例による携帯電話端末は、図４及び図５に示すように表示部１２（図１参照）を持たない点で本発明の実施例による携帯電話端末と異なる。
【００４３】
このように表示部を持たない携帯電話端末は一般に電話帳機能を持たないため、発信の際にはユーザがキー操作部１３を用いて電話番号を毎回入力する必要がある。しかし、表示部を持たない携帯電話端末のユーザの発信先は少数だと考えられる。そこで、本発明の他の実施例による携帯電話端末では、発信した際の発信先電話番号の履歴を記憶部１４に記録しておき、発信の際に制御部１１がその履歴情報を基に各キーボタンＬＥＤの点灯／消灯を制御するようにして、ユーザの利便性を高めるようにする。
【００４４】
例えば、記憶部１４内の発信履歴に記録された発信先電話番号が「０２４−９２４−１１１１」（番号１）、「０２４−９２６−６７８９」（番号２）、「０２４−９４５−９９９９」（番号３）の３つだとする。このうちの番号２に再び発信する場合について説明する。
【００４５】
これら番号１〜３の電話番号は「０２４−９」までの番号は共通である。このため、「０２４−９」までキーボタンを押す際には、キーバックライト制御部１５は、全てのキーボタン「０」〜「９」、「＊」及び「＃」のＬＥＤを点灯させるものとする。
【００４６】
「０２４−９」までの入力がなされると、次に入力される候補として「２」もしくは「４」が考えられるため、この時点でキーバックライト制御部１５は、キーボタン「２」とキーボタン「４」のＬＥＤをそれぞれ点灯させ、その他のキーボタンＬＥＤは消灯させる。
【００４７】
次に、ユーザがキーボタン「２」を押下して「２」が入力されると、「４」、「６」が次の候補として考えられるため、キーバックライト制御部１５は、キーボタン「４」とキーボタン「６」のＬＥＤをそれぞれ点灯させ、その他のキーボタンＬＥＤは消灯させる。
【００４８】
そして次に、ユーザがキーボタン「６」を押下して「６」が入力されると、候補は「０２４−９２６−６７８９」の電話番号に絞り込まれ、キーバックライト制御部１５は、キーボタン「６」のＬＥＤを点灯させ、その他のキーボタンＬＥＤは消灯させる。以下、ユーザのキーボタン操作により「６」、「７」、「８」、「９」が順次入力されるが、その際も同様に履歴を基に対応するキーボタンＬＥＤが点灯され、その他のＬＥＤは消灯される。
【００４９】
なお、本発明の他の実施例についても、上述したＬＥＤの明るさを多段階に制御する制御方法、また多色ＬＥＤを用いた制御方法を適用することができることは勿論である。
【図面の簡単な説明】
【００５０】
【図１】本発明の実施例による携帯電話端末の構成を示す図である。
【図２】各キーボタンＬＥＤのオンオフを示すタイミングチャートである。
【図３】（ａ）及び（ｂ）はそれぞれ本発明の実施例による携帯電話端末の表示部の表示画面遷移例を示す図である。
【図４】本発明の他の実施例による携帯電話端末を示す図である。
【図５】本発明の他の実施例による携帯電話端末の構成を示す図である。
【図６】従来の携帯電話端末を示す図である。
【図７】携帯電話端末に設けられるキーボタンとこれを照明するためのＬＥＤを示す図である。
【符号の説明】
【００５１】
１１    制御部
１２    表示部
１３    キー操作部
１４    記憶部
１５    キーバックライト制御部
１６    キーバックライト
２１    文字入力中情報
２２    変換候補
３１    キーボタン
３２    ＬＥＤ
【図１】
0004453620.tif 000002
【図２】
0004453620.tif 000003
【図３】
0004453620.tif 000004
【図４】
0004453620.tif 000005
【図５】
0004453620.tif 000006
【図６】
0004453620.tif 000007
【図７】
0004453620.tif 000008